(57)【要約】【課題】温泉資源を保護でき、省エネに役立ち、構成簡素で、メンテナンス容易で、消費電力、設備の負担が少なく、効率的で経済的な温泉供給管理システムを提供する。【解決手段】最大貯湯レベルと、最小貯湯レベルと、最大貯湯レベル到達時間帯と、最小貯湯レベル到達時間帯とを設定し、最小貯湯レベル到達時間帯を、温泉利用量のピーク時周辺或いはピーク時の後に設定し、最大貯湯レベル到達時間帯を、温泉利用量の非ピーク時周辺或いは非ピーク時の後に設定し、最大貯湯レベル到達時間帯から最小貯湯レベル到達時間帯までは、最大貯湯レベルから最小貯湯レベルに向って漸次減少する放出想定ラインを設定し、最小貯湯レベル到達時間帯から最大貯湯レベル到達時間帯までは、最小貯湯レベルから最大貯湯レベルに向って漸次増加する備蓄想定ラインを設定し、貯湯量が放出想定ラインと備蓄想定ラインに沿うように中央監視制御装置で制御できるよう構成する。【選択図】図２
2005157844.tif 000002
【特許請求の範囲】
【請求項１】
揚湯ポンプ、温度センサー、送湯ポンプ、流量計等を有すると共に、複数の源泉夫々に設けられる源泉設備と、これらの源泉設備で揚湯された温泉が湯供給路を介して貯湯される貯湯槽と、揚湯された貯湯槽内の温泉が複数の利用施設を巡回するように循環可能となる湯循環路と、源泉設備夫々のデーター、貯湯槽のデーター、湯循環路のデーター等を基にして、温泉の管理、制御をコンピュータを利用して行う中央監視制御装置とを備えた温泉供給管理システムに於いて、貯湯槽内の温泉の最大貯湯レベルと、最小貯湯レベルと、１日に於ける最大貯湯レベル到達時間帯と、最小貯湯レベル到達時間帯とを設定し、前記最小貯湯レベル到達時間帯を、複数の利用施設での温泉利用量が最も多いピーク時周辺或いはピーク時の後に設定し、一方、前記最大貯湯レベル到達時間帯を、複数の利用施設での温泉利用量が最も少ない非ピーク時周辺或いは非ピーク時の後に設定し、最大貯湯レベル到達時間帯から最小貯湯レベル到達時間帯までの間では、貯湯槽内の温泉の貯湯量が、最大貯湯レベルから最小貯湯レベルに向って漸次減少するような緩やかな放出想定ラインを設定し、最小貯湯レベル到達時間帯から最大貯湯レベル到達時間帯までの間では、貯湯槽内の温泉の貯湯量が、最小貯湯レベルから最大貯湯レベルに向って漸次増加するような緩やかな備蓄想定ラインを設定し、貯湯槽内の温泉の貯湯量を、放出想定ラインと備蓄想定ラインに沿うように中央監視制御装置で制御できるよう構成したことを特徴とする温泉供給管理システム。
【請求項２】
前記放出想定ラインは、複数の利用施設での該当時間帯毎の温泉利用総量に合致するように設定したことを特徴とする請求項１記載の温泉供給管理システム。
【請求項３】
前記最小貯湯レベル到達時間帯から最大貯湯レベル到達時間帯までの間を、深夜電力割引時間内に設定したことを特徴とする請求項１または請求項２記載の温泉供給管理システム。
【請求項４】
前記放出想定ライン及び備蓄想定ラインに対して略一定間隔に隔てたように配される下方許容想定ラインと上方許容想定ラインを設定し、貯湯槽内の温泉の貯湯量が、下方許容想定ライン或いは上方許容想定ラインを越えて所定時間経過したときに、適宜警報手段が作動するように構成したことを特徴とする請求項１または請求項２または請求項３記載の温泉供給管理システム。
【発明の詳細な説明】
【技術分野】
【０００１】
本発明は、主に、温泉地に於いて温泉（源泉及び源泉から揚湯された温泉）を共同管理する際に使用される温泉供給管理システムに係り、特に、温泉資源を無駄にすることなく保護でき、しかも、効率的な管理が可能となり、省エネに役立ち、安定的な温泉の供給ができ、理想的な温泉管理が行えるように工夫した温泉供給管理システムに関するものである。
【背景技術】
【０００２】
従来、この種の温泉供給管理システムとしては、例えば、特許文献１に示すような温泉資源保護安定供給装置が開示されている。
これは、源泉井より揚湯された温泉を一時貯える中継槽と、この中継槽より送り出された温泉を貯える貯湯槽と、この貯湯槽の下流側に設けられ貯湯槽より送り出された温泉を貯えると共に、多数の利用施設へ温泉を供給する他の貯湯槽とを設けた温泉供給系統と、温泉の所定量を前記貯湯槽と他の貯湯槽との間でまたは前記他の貯湯槽内で循環させて供給温度差を減少させる温泉循環系統とを有する温泉資源保護安定供給装置であって、前記中継槽の水位を一定に制御する中継槽水位制御装置と、前記中継槽から貯湯槽へ送湯し、貯湯槽の水位を満湯状態に制御する貯湯槽水位制御装置と；前記各貯湯槽の温泉供給系統または温泉循環系統の配湯管路のそれぞれ出発圧力を検出し、前記出発圧力を一定に制御する複数の配湯管路出発圧力制御装置と、前記各貯湯槽の配湯管路の末端圧力を検出し、この末端圧力の低下を防止すると共に、各下流側の貯湯槽内への温泉量の減少または溢流を防止して満湯状態に水位制御する複数の配湯管路末端圧力および貯湯槽水位制御装置とを備えたものである。
【０００３】
【特許文献１】特許公報第２７９１０００号
【発明の開示】
【発明が解決しようとする課題】
【０００４】
ところが、前述の温泉資源保護安定供給装置にあっては、中継槽と複数の貯湯槽とを備えると共に、中継槽と複数の貯湯槽夫々に制御装置を付設してあるため、制御装置の数が多くなり、制御装置自体の負担や、これらのメンテナンスにかかる負担等のシステム全体の経済的負担が大きい難点があった。
また、中継槽の水位が常に満湯となるように揚湯ポンプの吐出量を制御すると共に、貯湯槽の水位が常に満湯となるように送湯ポンプの回転数を制御しているため、時間帯によって大きく変動する多数の利用施設での温泉使用総量が、ピーク（例えば、夕方から夜の間）のときには、これらの使用総量に応じて配湯量を増やすべくポンプ類を常時高出力状態で作動させなければならないと共に、ピーク時の温泉使用総量に対応した比較的大きな能力のポンプを使用する必要があり、消費電力の負担や、設備の負担等が大きい難点もあった。
【０００５】
そこで、本発明は、前述の如き難点等を解消できるようにするのは勿論のこと、温泉資源を無駄にすることなく保護でき、効率的な管理が可能で、省エネに役立ち、安定的な温泉の供給ができ、理想的な温泉管理が行え、また、ポンプ類の消耗を抑制できるようにすると共に、比較的小さな能力のポンプ類を利用できるようにし、しかも、構成が簡素で、メンテナンスも容易で、経済的な負担を大幅に低減できるようにすべく創出されたものである。
【課題を解決するための手段】
【０００６】
しかして、請求項１記載の温泉供給管理システムにあっては、揚湯ポンプ、温度センサー、送湯ポンプ、流量計等を有すると共に、複数の源泉夫々に設けられる源泉設備Ａ１、Ａ２、Ａ３と、これらの源泉設備Ａ１、Ａ２、Ａ３で揚湯された温泉が湯供給路Ｂを介して貯湯される貯湯槽Ｃと、揚湯された貯湯槽Ｃ内の温泉が複数の利用施設Ｆ１、Ｆ２、Ｆ３、Ｆ４を巡回するように循環可能となる湯循環路Ｅと、源泉設備Ａ１、Ａ２、Ａ３夫々のデーター、貯湯槽Ｃのデーター、湯循環路Ｅのデーター等を基にして、温泉の管理、制御をコンピュータを利用して行う中央監視制御装置とを備えた温泉供給管理システムに於いて、貯湯槽Ｃ内の温泉の最大貯湯レベルと、最小貯湯レベルと、１日に於ける最大貯湯レベル到達時間帯と、最小貯湯レベル到達時間帯とを設定し、前記最小貯湯レベル到達時間帯を、複数の利用施設Ｆ１、Ｆ２、Ｆ３、Ｆ４での温泉利用量が最も多いピーク時周辺或いはピーク時の後に設定し、一方、前記最大貯湯レベル到達時間帯を、複数の利用施設Ｆ１、Ｆ２、Ｆ３、Ｆ４での温泉利用量が最も少ない非ピーク時周辺或いは非ピーク時の後に設定し、最大貯湯レベル到達時間帯から最小貯湯レベル到達時間帯までの間では、貯湯槽Ｃ内の温泉の貯湯量が、最大貯湯レベルから最小貯湯レベルに向って漸次減少するような緩やかな放出想定ラインを設定し、最小貯湯レベル到達時間帯から最大貯湯レベル到達時間帯までの間では、貯湯槽Ｃ内の温泉の貯湯量が、最小貯湯レベルから最大貯湯レベルに向って漸次増加するような緩やかな備蓄想定ラインを設定し、貯湯槽Ｃ内の温泉の貯湯量を、放出想定ラインと備蓄想定ラインに沿うように中央監視制御装置で制御できるよう構成する手段を採用した。
【０００７】
また、請求項２記載の温泉供給管理システムにあっては、前記放出想定ラインは、複数の利用施設Ｆ１、Ｆ２、Ｆ３、Ｆ４での該当時間帯毎の温泉利用総量に合致するように設定する手段を採用した。
【０００８】
更に、請求項３記載の温泉供給管理システムにあっては、前記最小貯湯レベル到達時間帯から最大貯湯レベル到達時間帯までの間を、深夜電力割引時間内に設定する手段を採用した。
【０００９】
そして、請求項４記載の温泉供給管理システムにあっては、前記放出想定ライン及び備蓄想定ラインに対して略一定間隔に隔てたように配される下方許容想定ラインと上方許容想定ラインを設定し、貯湯槽Ｃ内の温泉の貯湯量が、下方許容想定ライン或いは上方許容想定ラインを越えて所定時間経過したときに、適宜警報手段が作動するように構成する手段を採用した。
【発明の効果】
【００１０】
従って、本発明の請求項１記載の温泉供給管理システムによれば、貯湯槽Ｃは少なくとも一つあればよく、貯湯槽Ｃに付設される制御装置等の数が少なくて済み、制御装置等の負担や、メンテナンスにかかる負担等のシステム全体の経済的負担が小さくて済むようになる。
更に、温泉資源を無駄にすることなく保護でき、効率的な管理が可能で、省エネに役立ち、安定的な温泉の供給ができ、理想的な温泉管理が行えるようになる。
しかも、構成が簡素で、メンテナンスも容易で、経済的な負担を大幅に低減できる温泉供給管理システムとなる。
【００１１】
特に、貯湯槽Ｃ内の温泉の最大貯湯レベルと、最小貯湯レベルと、１日に於ける最大貯湯レベル到達時間帯と、最小貯湯レベル到達時間帯とを設定し、前記最小貯湯レベル到達時間帯を、複数の利用施設Ｆ１、Ｆ２、Ｆ３、Ｆ４での温泉利用量が最も多いピーク時周辺或いはピーク時の後に設定し、一方、前記最大貯湯レベル到達時間帯を、複数の利用施設Ｆ１、Ｆ２、Ｆ３、Ｆ４での温泉利用量が最も少ない非ピーク時周辺或いは非ピーク時の後に設定し、最大貯湯レベル到達時間帯から最小貯湯レベル到達時間帯までの間では、貯湯槽Ｃ内の温泉の貯湯量が、最大貯湯レベルから最小貯湯レベルに向って漸次減少するような緩やかな放出想定ラインを設定し、最小貯湯レベル到達時間帯から最大貯湯レベル到達時間帯までの間では、貯湯槽Ｃ内の温泉の貯湯量が、最小貯湯レベルから最大貯湯レベルに向って漸次増加するような緩やかな備蓄想定ラインを設定し、貯湯槽Ｃ内の温泉の貯湯量を、放出想定ラインと備蓄想定ラインに沿うように中央監視制御装置で制御できるよう構成したので、時間帯によって大きく変動する多数の利用施設Ｆ１、Ｆ２、Ｆ３、Ｆ４での温泉使用総量が、ピーク時或いはピーク周辺（例えば、夕方から夜の間）のときでも、これらの使用総量に応じて源泉設備Ａ１、Ａ２、Ａ３での揚湯量を大幅に増やす必要がなく、ポンプ類を常時高出力状態で作動させる必要もなく、しかも、ピーク時の温泉使用総量に対応するような比較的大きな能力のポンプは不要で、比較的小さな能力のポンプで済むようになるため、消費電力や、設備の負担等が少なくて済むようになり、大変経済的な温泉供給管理システムとなる。
加えて、ポンプ類を常時高出力状態で作動させる必要がないため、その消耗を抑制できるようになる。
【００１２】
また、本発明の請求項２記載の温泉供給管理システムによれば、放出想定ラインと実際の温泉利用総量との誤差がより少なくて済むようになり、温泉揚湯量が少なくて済み、源泉設備Ａ１、Ａ２、Ａ３や貯湯槽Ｃでのポンプが低出力状態の作動で済む（或いは、作動時間が少なくて済む）ようになり、省エネルギーを実現できるようになる。
【００１３】
更に、本発明の請求項３記載の温泉供給管理システムによれば、貯湯槽Ｃ内の温泉を最大貯湯レベルまで揚湯するのに、その電力負担を大幅に軽減でき、より経済的なものとなる。
【００１４】
そして、本発明の請求項４記載の温泉供給管理システムによれば、貯湯槽Ｃ内の温泉量の異常を確実に且つ余裕を持つて知らせることができるようになり、対応処理がし易く、より安全で信頼性の高いシステムとなる。
【発明を実施するための最良の形態】
【００１５】
以下、本発明を図示例に基づいて説明すると、次の通りである。
本発明は、主に、全国の温泉地に於いて温泉（複数の源泉及び各源泉から揚湯された温泉）を共同管理する際に使用される温泉供給管理システムで、この温泉供給管理システムは、揚湯ポンプ、温度センサー、送湯ポンプ、流量計等を有すると共に、複数の源泉夫々に設けられる源泉設備Ａ１、Ａ２、Ａ３と、これらの源泉設備Ａ１、Ａ２、Ａ３で揚湯された温泉が湯供給路Ｂを介して貯湯される貯湯槽Ｃと、揚湯された貯湯槽Ｃ内の温泉が複数の利用施設Ｆ１、Ｆ２、Ｆ３、Ｆ４を巡回するように循環可能となる湯循環路Ｅと、源泉設備Ａ１、Ａ２、Ａ３夫々のデーター、貯湯槽Ｃのデーター、湯循環路Ｅのデーター等を基にして、温泉の管理、制御をコンピュータを利用して行う中央監視制御装置とを備えたものである。
【００１６】
そして、貯湯槽Ｃ内の温泉の最大貯湯レベルと、最小貯湯レベルと、１日に於ける最大貯湯レベル到達時間帯と、最小貯湯レベル到達時間帯とを設定する。
ところで、最大貯湯レベルは、例えば、貯湯槽Ｃのオーバーフローラインの下方に設定されるのが望ましく、最小貯湯レベルは、例えば、貯湯槽Ｃの下部に少なくとも約３０パーセント程度の温泉が残るような位置より上方に設定されるのが望ましい。すなわち、最大貯湯レベルは、貯湯槽Ｃのオーバーフローラインに対して若干の余裕を持って設定され、レベルを超えた時に温泉が無駄にならないように配慮してあり、最小貯湯レベルは、貯湯槽Ｃ内に残されている温泉に対してかなりの余裕を持って設定され、レベルを超えた時に万一問題等が発生した場合でも温泉の供給に支障が生じないように配慮してある。
【００１７】
それから、前記最小貯湯レベル到達時間帯を、複数の利用施設Ｆ１、Ｆ２、Ｆ３、Ｆ４での温泉利用量が最も多いピーク時周辺或いはピーク時の後に設定し、一方、前記最大貯湯レベル到達時間帯を、複数の利用施設Ｆ１、Ｆ２、Ｆ３、Ｆ４での温泉利用量が最も少ない非ピーク時周辺或いは非ピーク時の後に設定する。
【００１８】
ところで、最小貯湯レベル到達時間帯は、複数の利用施設Ｆ１、Ｆ２、Ｆ３、Ｆ４での温泉利用量が最も多いピーク時の後となる、例えば、２２時とか２３時とかに設定され、最大貯湯レベル到達時間帯は、複数の利用施設Ｆ１、Ｆ２、Ｆ３、Ｆ４での温泉利用量が最も少ない非ピーク時の後となる、例えば、７時とか８時とかに設定される。
特に、前記最小貯湯レベル到達時間帯から最大貯湯レベル到達時間帯までの間を、深夜電力割引時間（例えば、２３時〜８時、２３時〜７時、２２時〜６時）内に設定することが望ましく、貯湯槽Ｃ内の温泉を最大貯湯レベルまで揚湯するのに、電力負担を大幅に軽減でき、より経済的なものとすることが可能となる。
【００１９】
更に、最大貯湯レベル到達時間帯から最小貯湯レベル到達時間帯までの間では、貯湯槽Ｃ内の温泉の貯湯量が、最大貯湯レベルから最小貯湯レベルに向って漸次減少するような緩やかな放出想定ライン（右下がりライン）を設定し、最小貯湯レベル到達時間帯から最大貯湯レベル到達時間帯までの間では、貯湯槽Ｃ内の温泉の貯湯量が、最小貯湯レベルから最大貯湯レベルに向って漸次増加するような緩やかな備蓄想定ライン（右上がりライン）を設定する。
【００２０】
ところで、放出想定ラインは、図示例では直線的に構成されているが、これは複数の利用施設Ｆ１、Ｆ２、Ｆ３、Ｆ４での過去の時間帯毎の温泉利用総量データーを利用して作成されるもので、折れ線状であったり、曲線で構成されたものであっても良く、また、季節等に応じて、変更できるものである。
すなわち、前記放出想定ラインは、複数の利用施設Ｆ１、Ｆ２、Ｆ３、Ｆ４での該当時間帯毎の温泉利用総量に合致するように設定され、放出想定ラインと実際の温泉利用総量との誤差がより少なくて済むようにすることで、温泉揚湯量が少なくて済み、源泉設備Ａ１、Ａ２、Ａ３や貯湯槽Ｃでのポンプが低出力状態の作動で済み（或いは、作動時間が少なくて済み）、省エネルギーを実現できるように構成してある。
また、備蓄想定ラインは、放出想定ラインに比べて温泉利用総量データーの変化が少ないが、放出想定ラインと同様に構成できるものである。
【００２１】
しかも、貯湯槽Ｃ内の温泉の貯湯量は、放出想定ラインと備蓄想定ラインに沿うように中央監視制御装置で制御できるよう構成されている。
【００２２】
加えて、前記放出想定ライン及び備蓄想定ラインに対して略一定間隔に隔てたように配される下方許容想定ラインと上方許容想定ラインを設定し、貯湯槽Ｃ内の温泉の貯湯量が、下方許容想定ライン或いは上方許容想定ラインを越えて所定時間経過したときに、適宜警報手段が作動するように構成する。
すなわち、貯湯槽Ｃ内の温泉量の異常を確実に知らせることができて、より安全で信頼性の高いシステムとなるように構成されている。
【実施例】
【００２３】
前記源泉設備Ａ１、Ａ２、Ａ３は、例えば、揚湯ポンプや、温度センサーや、送湯ポンプや、流量計や、バルブ等からなり、複数の源泉夫々に設けられて、源泉夫々の揚湯をコントロールしたり、源泉夫々のデーターを測定できるように構成されている。
尚、源泉設備Ａ１、Ａ２、Ａ３の具体的構成、数、揚湯ポンプの具体的構成、能力、数、温度センサーの具体的構成、配設位置、数、送湯ポンプの具体的構成、能力、配設位置、数、流量計の具体的構成、配設位置、バルブの具体的構成、配設位置等は、図示例のもの等に限定されることなく、適宜自由に設定、変更できるものである。
【００２４】
前記湯供給路Ｂは、複数の源泉設備Ａ１、Ａ２、Ａ３と貯湯槽Ｃとを結ぶパイプ等で構成され、この湯供給路Ｂには、例えば、温度センサーや、流量計等が設けられており、湯供給路Ｂを通過する温泉の温度や流量のデーターを測定できるように構成されている。
尚、湯供給路Ｂの具体的構成、形状、寸法、材質、配設状態、温度センサーの具体的構成、配設位置、数、流量計の具体的構成、配設位置、数等は、図示例のもの等に限定されることなく、適宜自由に設定、変更できるものである。
【００２５】
前記貯湯槽Ｃは、例えば、温度センサーや、水位測定器や、オーバーフローや、バルブ等が設けられており、貯湯槽Ｃ内の温泉の貯湯量をコントロールしたり、温泉のデーターを測定できるように構成されている。
また、貯湯槽Ｃは、例えば、複数の利用施設Ｆ１、Ｆ２、Ｆ３、Ｆ４に於いて、最大貯湯レベル到達時間帯から最小貯湯レベル到達時間帯間での間で使用される温泉使用総量以上の容量に設定されるもので、基本的には１つが望ましいが、複数になっても良い。
更に、貯湯槽Ｃ内の温泉は、送湯ポンプＤによって湯循環路Ｅ内に送湯できるように構成されている。
尚、貯湯槽Ｃの具体的構成、形状、寸法、材質、数、温度センサーの具体的構成、配設位置、数、水位測定器の具体的構成、配設位置、オーバーフローの具体的構成、バルブの具体的構成、配設位置、送湯ポンプＤの具体的構成、配設位置等は、図示例のもの等に限定されることなく、適宜自由に設定、変更できるものである。
【００２６】
前記湯循環路Ｅは、貯湯槽Ｃと複数の利用施設Ｆ１、Ｆ２、Ｆ３、Ｆ４とを巡回するような循環状態で結ぶパイプ等で構成され、この湯循環路Ｅには、例えば、温度センサーや、流量計や、バルブ等が適宜位置に適数設けられており、湯循環路Ｅ内の温泉の温度や流量等のデーターを測定できるように構成されている。
尚、湯循環路Ｅの具体的構成、形状、寸法、材質、配設状態、温度センサーの具体的構成、配設位置、数、流量計の具体的構成、配設位置、数、バルブの具体的構成、配設位置、数等は、図示例のもの等に限定されることなく、適宜自由に設定、変更できるものである。
【００２７】
図中Ｇは、複数の利用施設Ｆ１、Ｆ２、Ｆ３、Ｆ４で使用されずに湯循環路Ｅを循環してきた温泉に於いて、その温度の低下が大きい場合に必要に応じて作動させる昇温設備を示し、この昇温設備Ｇは、熱交換器Ｇ１とボイラーＧ２とによって構成されている。
尚、昇温設備Ｇの具体的構成、配設位置、熱交換器Ｇ１の具体的構成、ボイラーＧ２のの具体的構成等は、図示例のもの等に限定されることなく、適宜自由に設定、変更できるものである。
【００２８】
前記中央監視制御装置は、源泉設備Ａ１、Ａ２、Ａ３夫々で計測されるデーター（例えば、温泉の温度、揚湯流量等）、湯供給路Ｂで計測されるデーター（例えば、温泉の温度、温泉の流量等）、貯湯槽Ｃで計測されるデーター（例えば、温泉の温度、貯湯水位等）、湯循環路Ｅで計測されるデーター（例えば、各部に於ける温泉の温度、各部に於ける温泉の流量等）等を基にして、源泉設備Ａ１、Ａ２、Ａ３夫々の管理、制御（例えば、揚湯ポンプによる揚湯量の調節、送湯ポンプによる送湯量の調節、バルブの調節等）、送湯ポンプＤの管理、制御（例えば、送湯ポンプＤによる送湯量の調節、バルブの調節等）、昇温設備Ｇの管理、制御（例えば、温水の昇温調節等）等が、コンピュータを利用して効率的に行えるように構成したものである。
尚、中央監視制御装置の具体的構成、制御プログラム等は、適宜自由に設定、変更できるものである。
【図面の簡単な説明】
【００２９】
【図１】温泉供給管理システムを例示する概略図である。
【図２】温泉供給管理システムの貯湯槽に於ける温泉の貯湯量の制御概念を例示するグラフである。
【符号の説明】
【００３０】
Ａ１    源泉設備          Ａ２    源泉設備
Ａ３    源泉設備
Ｂ      湯供給路
Ｃ      貯湯槽
Ｄ      送湯ポンプ
Ｅ      湯循環路
Ｆ１    利用施設          Ｆ２    利用施設
Ｆ３    利用施設          Ｆ４    利用施設
Ｇ      昇温設備          Ｇ１    熱交換器
Ｇ２    ボイラー
【図１】
2005157844.tif 000003
【図２】
2005157844.tif 000004